(57)【要約】      （修正有）【課題】  最小の記憶容量でより効率的に過去に行ったＪＯＢの履歴をより詳細に記録することができる画像処理装置の提供。【解決手段】  デジタル化された画像情報を入力する画像入力手段と、読み取られた原稿画像を格納する画像格納手段と、前記画像格納手段から前記デジタル化された画像を出力する画像出力手段と、前記画像入力手段から得た画像を前記画像出力手段へ転送する転送ＪＯＢ実行手段と、前記転送ＪＯＢ実行手段の実行結果情報を記録するＪＯＢ履歴記録手段と、前記ＪＯＢ実行手段で扱うデジタル画像情報から文字情報を抽出し文字情報として記録する文字抽出手段と、前記文字抽出手段により得られた文字情報を記録する文字記録手段と、前記文字記録手段で格納されている文字テキストデータを参照する文字テキストデータ参照手段と、を有し、文字記録手段で記録されている文字テキストデータを前記ＪＯＢ記録手段に関連付けて記録することを特徴とする。【選択図】        図１
2006050089.tif 000002
【特許請求の範囲】
【請求項１】
デジタル化された画像情報を入力する画像入力手段と、
読み取られた原稿画像を格納する画像格納手段と、
前記画像格納手段から前記デジタル化された画像を出力する画像出力手段と、
複数ある前記画像入力手段と前記画像出力手段から特定の一つ１以上の組み合わせを記録する転送仕様記録手段と、
前記転送仕様記録手段をユーザが設定するための転送仕様設定手段と、
前記転送仕様記録手段に従って前記画像入力手段から得た画像を前記画像出力手段へ転送する転送ＪＯＢ実行手段と、
前記転送ＪＯＢ実行手段の実行結果情報を記録するＪＯＢ履歴記録手段と、
前記ＪＯＢ履歴手段により記録されたＪＯＢ履歴データを参照するＪＯＢ履歴参照手段と、
前記ＪＯＢ実行手段で扱うデジタル画像情報から文字情報を抽出し文字情報として記録する文字抽出手段と、
前記文字抽出手段により得られた文字情報を記録する文字記録手段と、
前記文字記録手段で格納されている文字テキストデータを参照する文字テキストデータ参照手段と、
を有し、文字記録手段で記録されている文字テキストデータを前記ＪＯＢ記録手段に関連付けて記録することを特徴とする画像処理装置。
【請求項２】
前記文字記録手段へのアクセスにパスワードを設ける手段を有することを特徴とする請求項１記載の画像処理装置。
【請求項３】
前記文字抽出手段により抽出した文字列に特定のキーワードを検出した場合に、ＪＯＢを中断することを特徴とする請求項１記載の画像処理装置。
【請求項４】
前記文字記録手段により記録している文字テキストデータ内から特定のキーワードを含むものを一覧としてプリントすることを特徴とする請求項１記載の画像処理装置。
【請求項５】
前記文字抽出手段により抽出した文字列に特定のキーワードを検出した場合に、転送ＪＯＢを許可することを特徴とする請求項１記載の画像処理装置。
【発明の詳細な説明】
【技術分野】
【０００１】
本発明は画像処理装置に関し、デジタル画像を送受信する事が可能な装置に関して適用可能なものであり、特にプリンタ、スキャナ、ファックス（ＦＡＸ）等を含む、デジタル複合機、特に転送機能などを持っているサーバ的な役割を行う機器に特に有効な技術である。
【背景技術】
【０００２】
従来の技術に、光学式文字認識技術（以降ＯＣＲと記載）があった。また、デジタル複合機は様々なサーバ的な機能を備えつつあり、スキャナで読み取った原稿等の画像データをネットワークを介して他の装置へ転送する機能が提案されている（例えば、特許文献１参照。）。また特に近年セキュリティに対する重要度が深まりつつあり、デジタルＭＦＰ複合機（以降複写機）においてセキュリティの対応が望まれている。
【特許文献１】特開平１１−１３４１６３号公報
【発明の開示】
【発明が解決しようとする課題】
【０００３】
ＭＦＰ複写機は、例えば、プリント・転送・スキャンなどのＪＯＢを実行する事が可能である。いわば、オフィスの紙とデジタル画像データを変換する事が可能なプラットフォームである。一方オフィスには機密な文書も存在するため、操作者のミスや気の緩みにより、禁止されているはずの出力・読み込み・外部へ転送等を行ってしまう可能性がある。デジタルデータは劣化が無く複製が容易に可能であるためその作成・流出自体を未然に防ぐことが急務である。
【０００４】
本発明は上述の問題点に着目して成されたものであって、最小の記憶容量でより効率的に過去に行ったＪＯＢの履歴をより詳細に記録することができる画像処理装置の提供を目的としている。
【課題を解決するための手段】
【０００５】
上記目的を達成するために本発明の請求項１のデジタル複合機は、
外部へ転送する対象の画像のログを獲得することにし、管理者がそのログを参照することが可能な構成をとる。通常画像データは非常に大きいため、大容量のＨＤＤを搭載した場合でも多くのログを保存しておくのは非常に困難である。従って、画像をＯＣＲし、テキスト情報を作成し、そのテキスト情報をログ情報と関連付けて記録させる構成を取る。これにより、非常に少ない付加情報でより効率的な大容量のログ獲得機能を搭載することが可能となる。
【０００６】
以下に、本発明の第一の発明について詳細に整理して示せば、
デジタル化された画像情報を入力する画像入力手段と、
読み取られた原稿画像を格納する画像格納手段と、
前記画像格納手段から前記デジタル化された画像を出力する画像出力手段と、
複数ある前記画像入力手段と前記画像出力手段から特定の一つ１以上の組み合わせを記録する転送仕様記録手段と、
前記転送仕様記録手段をユーザが設定するための転送仕様設定手段と、
前記転送仕様記録手段に従って前記画像入力手段から得た画像を前記画像出力手段へ転送する転送ＪＯＢ実行手段と、
前記転送ＪＯＢ実行手段の実行結果情報を記録するＪＯＢ履歴記録手段と、
前記ＪＯＢ履歴手段により記録されたＪＯＢ履歴データを参照するＪＯＢ履歴参照手段と、
前記ＪＯＢ実行手段で扱うデジタル画像情報から文字情報を抽出し文字情報として記録する文字抽出手段と、
前記文字抽出手段により得られた文字情報を記録する文字記録手段と、
前記文字記録手段で格納されている文字テキストデータを参照する文字テキストデータ参照手段と、
を有し、文字記録手段で記録されている文字テキストデータを前記ＪＯＢ記録手段に関連付けて記録することを特徴とする画像処理装置。
【発明の効果】
【０００７】
本発明によれば、ＪＯＢ履歴に、ハンドリングした画像をＯＣＲした物をリンクして記憶させることが可能となる。これにより、最小の記憶容量でより効率的に過去に行ったＪＯＢの履歴をより詳細に記録することが可能となる。
【０００８】
また、管理者のみがＪＯＢ履歴の詳細を参照できるようになり、よりセキュリティレベルが向上する。
【０００９】
加えて、禁止単語を含んだ文書を転送するのを自動的に監視することが可能となり、より高いセキュリティ効果を得ることが可能となる。
【発明を実施するための最良の形態】
【００１０】
以下、本発明の実施の形態を図面を参照して説明する。
【実施例１】
【００１１】
図１は本発明に係る電子部品としてのコントローラ部が搭載された画像入出力装置（データ処理装置）の一実施の形態を示すブロック構成図であって、該画像入出力装置１００は、イーサネット（登録商標）等のＬＡＮ（Ｌｏｃａｌ  Ａｒｅａ  Ｎｅｔｗｏｒｋ）６００にてホストコンピュータ（本実施の形態では第一のホストコンピュータ６０１、第二のホストコンピュータ６０２）に接続されている。
【００１２】
上記画像入出力システム１００は、画像データの読取処理を行うリーダー装置（リーダー部）２００と、画像データの出力処理を行うプリンタ装置（プリンタ部）３００と、画像データの入出力操作を行うキーボード、及び画像データや各種機能の表示／設定などを行う液晶パネルを備えた操作部１５０と、リーダー装置２００を制御して読み込んだ画像データや、ＬＡＮ６００を介してホストコンピュータ６０１、６０２より受信したコードデータから生成される画像データを格納／保存できる画像記憶部１６０を装着し、これら各構成要素に接続されて該構成要素を制御する単一の電子部品からなる制御装置（コントローラ部）１１０で構成されている。
【００１３】
リーダー装置２００は、原稿用紙を搬送する原稿給紙ユニット２５０と、原稿画像を光学的に読み取って電気信号としての画像データに変換するスキャナユニット２１０とを有し、プリンタ装置３００は、記録用紙を収容する複数段の給紙カセットを備えた給紙ユニット３１０と、画像データを記録用紙に転写／定着するマーキングユニット（部）３２０と、印字された記録用紙にソート処理やステイプル処理を施し、外部に排出する排紙ユニット（部）３３０とを有している。
【００１４】
制御装置１１０は、リーダー部２００を制御して、原稿の画像データを読込み、プリンタ部３００を制御して画像データを記録用紙に出力してコピー機能を提供する。また、リーダー部２００から読み取った画像データを、コードデータに変換し、ネットワーク６００を介してホストコンピュータ６０１，６０２へ送信するスキャナ機能、ホストコンピュータからネットワーク６００を介して受信したコードデータを画像データに変換し、プリンタ部３００に出力するプリンタ機能、その他の機能ブロックを有している。
【００１５】
図２はリーダー部２００及びプリンタ部３００の詳細を示す断面図である。
【００１６】
リーダー部２００では、原稿給送ユニット２５０に積層された原稿用紙がその積層順に従って、先頭から順次１枚ずつプラテンガラス２１１上へ給送され、スキャナユニット２１０で所定の読み取り動作が終了した後、読み取られた原稿用紙は、プラテンガラス２１１上の原稿を排出トレイ２１９に排出される。また、原稿用紙がプラテンガラス２１１上に搬送されると、ランプ２１２を点灯し、次いで光学ユニット２１３の移動を開始させ、原稿用紙を下方から照射し走査する。そして、原稿用紙からの反射光は、複数のミラー２１４、２１５、２１６、及び、レンズ２１７を介してＣＣＤイメージセンサ（以下「ＣＣＤ」と記す）２１８へ導かれ、走査された原稿画像はＣＣＤ２１８によって読み取られる。ＣＣＤ２１８で読み取られた画像データは、所定の処理が施された後、コントローラユニット１１０に転送される。
【００１７】
原稿給送ユニット２５０が原稿流し読み機能を有している場合、原稿給送ユニット２５０に積層された原稿用紙は、原稿流し読み位置２４０を一定の速度で通過する。この場合、光学ユニット２１３は原稿流し読み位置２４０に移動し、等速で搬送される原稿をランプ２１２によって照射し、ＣＣＤ２１８によって随時読み取ることで画像データを生成し、コントローラユニット１１０に転送される。
【００１８】
次いで、プリンタ部３００では、コントローラ部１１０から出力された画像データに対応するレーザ光が、レーザドライバ３２１により駆動されるレーザ発行部３２２から発行され、感光ドラム３２３にはレーザ光に応じた静電潜像が形成され、現像器３２４により前記静電潜像の部分に現像剤が付着される。
【００１９】
一方、レーザ光の照射開始と同期したタイミングで、カセット３１１、カセット３１２、カセット３１３、カセット３１４、手差し給紙段３１５のいずれかから記録用紙が給紙されて転写部３２５に搬送路３３１により搬送され、感光ドラム３２３に付着している現像剤を記録用紙に転写する。画像データが転写された記録用紙は搬送ベルト３２６によって、定着部３２７に搬送され、定着部３２７における加熱・加圧処理により画像データが記録紙に定着される。定着部３２７を通過した記録紙は搬送路３３５、搬送路３３４を通り、排紙ビン３２８に排出される。印字面を反転して排紙ビン３２８に排出する場合には、搬送路３３６、搬送路３３８まで導かれ、そこから記録紙を逆方向に搬送し、搬送路３３７、搬送路３３４を通り、排紙ビン３２８に排出される。図に記していないが、排紙ビン３２８の代わりに、排紙ユニットを装着することが可能で、排紙ユニットは排出された記録用紙を束ねて記録用紙の仕分け、仕分けされた記録用紙のステイプル処理などを行うことができる。
【００２０】
また、画像データを記録用紙に両面記録する場合は、定着部３２７を通過したあと、記録紙は、搬送路３３６からフラッパ３２９によって搬送路３３３に導かれ、その後、記録紙を逆方向に搬送し、フラッパ３２９によって搬送路３３８、再給紙搬送路３３２へ導かれる。再給紙搬送路３３２へ導かれた記録紙は上述と同様にして搬送路３３１を通り、転写部３２５へ給紙される。
【００２１】
図３は制御装置（コントローラ部）１１０の詳細を示すブロック図である。
【００２２】
すなわち、メインコントローラ１１１は、ＣＰＵ１１２と、バスコントローラ１１３と、後述する各種コントローラ回路を含む機能ブロックを内蔵すると共に、ＲＯＭ  Ｉ／Ｆ１１５を介してＲＯＭ１１４と接続され、ＤＲＡＭ  Ｉ／Ｆ１１７を介してＤＲＡＭ１１６と接続され、コーデックＩ／Ｆ１１８を介してコーデック１１９と接続され、また、ネットワークＩ／Ｆ１２３を介してネットワークコントローラ１２１と接続され、コネクタ１２２によりＬＡＮ６００との間で所定の制御動作を行う。ネットワークとしては一般的にイーサネット（登録商標）があげられる。
【００２３】
ＲＯＭ１１４は、メインコントローラ１１１のＣＰＵ１１２で実行される各種制御プログラムや演算データが確認されている。ＤＲＡＭ１１６は、ＣＰＵ１１２が動作するための作業領域や画像データを蓄積するための領域として使用される。コーデック１１９はＤＲＡＭ１１６に蓄積されたラスターイメージデータをＭＨ／ＭＲ／ＭＭＲ／ＪＢＩＧなどの周知の圧縮方式で圧縮し、また圧縮されたデータをラスターイメージに伸長する。また、コーデック１１９にはＳＲＡＭ１２０が接続されており、該ＳＲＡＭ１２０は前記コーデック１１９の一時的な作業領域として使用される。
【００２４】
また、前記メインコントローラ１１１はスキャナバス１４１を介してスキャナＩ／Ｆ１４０に接続され、プリンタバス１４６を介してプリンタＩ／Ｆ１４５に接続され、さらにＰＣＩバス等の汎用高速バス１２５を介して拡張ボードを接続するための拡張コネクタ１２４及び入出力制御部（Ｉ／Ｏ制御部）１２６に接続されている。
【００２５】
Ｉ／Ｏ制御部１２６はリーダー部２００やプリンタ部３００との間で制御コマンドを送受信するための調歩同期式のシリアル通信コントローラ１２７が２チャンネル装備されており、該シリアル通信コントローラ１２７はＩ／Ｏバス１２８を介してスキャナＩ／Ｆ１４０及びプリンタＩ／Ｆ１４５に接続されている。
【００２６】
スキャナＩ／Ｆ１４０は、第１の調歩同期シリアルＩ／Ｆ１４３及び第１のビデオＩ／Ｆ１４４を介してスキャナコネクタ１４２に接続され、さらに該スキャナコネクタ１４２はリーダー部２００のスキャナユニット２１０に接続されている。そして、スキャナＩ／Ｆ１４０はスキャナユニット２１０から受信した画像データに対し所望の２値化処理や、主走査方向及び／又は副走査方向の変倍処理を行い、またスキャナユニット２１０から送られてきたビデオ信号に基づいて制御信号を生成し、スキャナバス１４１を介してメインコントローラ１１１に画像データを転送する。
【００２７】
また、プリンタＩ／Ｆ１４５は、第２の調歩同期シリアルＩ／Ｆ１４８及び第２のビデオＩ／Ｆ１４９を介してプリンタコネクタ１４７に接続され、さらに該プリンタコネクタ１４７はプリンタ部３００のマーキングユニット３２０に接続されている。そして、プリンタＩ／Ｆ１４５はメインコントローラ１１１から出力された画像データにスムージング処理を施して該画像データをマーキングユニット３２０に出力し、さらにマーキングユニット３２０から送られたビデオ信号に基づいて、生成された制御信号をプリンタバス１４６に出力する。
【００２８】
そして、ＣＰＵ１１２は、ＲＯＭ１１４からＲＯＭＩ／Ｆ１１５を介して読み込まれた制御プログラムに基づいて動作し、例えば、第１及び第２のホストコンピュータ６０１、６０２から受信したＰＤＬ（ページ記述言語）データを解釈し、ラスターイメージデータに展開処理を行う。
【００２９】
また、バスコントローラ１１３は、スキャナＩ／Ｆ１４０，プリンタＩ／Ｆ１４５、その他拡張コネクタ１２４等に接続された外部機器から入出力されるデータ転送を制御するものであり、バス競合時のアービトレーション（調停）やＤＭＡデータ転送の制御を行う。即ち、例えば、上述したＤＲＡＭ１１６とコーデック１１９との間のデータ転送や、スキャナユニット２１０からＤＲＡＭ１１６へのデータ転送、ＤＲＡＭ１１６からマーキングユニット３２０へのデータ転送等は、バスコントローラ１１３によって制御され、ＤＭＡ転送される。
【００３０】
また、Ｉ／Ｏ制御部１２６は、ＬＣＤコントローラ１３１及びキー入力Ｉ／Ｆ１３０を介してパネルＩ／Ｆ１３２に接続され、パネルＩ／Ｆ１３２は操作部１５０に接続されている。また、前記Ｉ／Ｏ制御部１２６は不揮発性メモリとしてのＥＥＰＲＯＭ１３５に接続され、またＥ−ＩＤＥコネクタ１６１を介して画像データの書き込み／読み出しが可能なハードディスクドライブ（ＨＤＤ）１６２に接続され、さらに、機器内で管理する日付と時刻を更新／保存するリアルタイムクロックモジュール１３３に接続されている。なお、リアルタイムクロックモジュール１３３はバックアップ用電池１３４に接続されて該バックアップ用電池１３４によりバックアップされている。
【００３１】
図４はメインコントローラ１１１の内部詳細を示すブロック構成図である。
【００３２】
プロセッサコア（ＣＰＵ）４０１は、６４ビットのプロセッサバス（ＳＣバス）を介して、システム・バス・ブリッジ（ＳＢＢ）４０２に接続される。ＳＢＢ４０２は４×４の６４ビットクロスバスイッチであり、プロセッサコア４０１の他に、キャッシュメモリを備えたＳＤＲＡＭやＲＯＭを制御するメモリコントローラ４０３と専用のローカルバス（ＭＣバス）で接続されており、さらに、グラフィックバスであるＧバス４０４、ＩＯバスであるＢバス４０５と接続され、全部で４つのバスに接続される。ＳＢＢ４０２は、これら４モジュール間を、可能な限り同時平行接続を確保することができるように設計されている。また、データの圧縮伸張ユニット（ＣＯＤＥＣ）４１８とも、ＣＯＤＥＣ  Ｉ／Ｆを介して接続されている。
【００３３】
Ｇバス４０４はＧバスアービタ（ＧＢＡ）４０６により協調制御されており、スキャナやプリンタと接続するためのスキャナ／プリンタコントローラ（ＳＰＣ）４０８に接続される。また、Ｂバス４０５は、Ｂバスアービタ（ＢＢＡ）４０７により協調制御されており、ＳＰＣ４０８のほか、電力管理ユニット（ＰＭＵ）４０９、インタラプトコントローラ（ＩＣ）４１０、ＵＡＲＴを用いたシリアルインタフェースコントローラ（ＳＩＣ）４１１、ＵＳＢコントローラ４１２、ＩＥＥＥ１２８４を用いたパラレルインタフェースコントローラ（ＰＩＣ）４１３、イーサネット（登録商標）を用いたＬＡＮコントローラ（ＬＡＮＣ）４１４、汎用入出力コントローラ（ＭＩＳＣ）４１５、ＰＣＩバスインタフェース（ＰＣＩＣ）４１６にも接続されている。
【００３４】
Ｂバスアービタ４０７はＢバス４０５を協調制御するアービトレーションであり、Ｂバス４０５のバス使用要求を受け付け、調停の後、使用許可が選択された一つのマスタに与えられ、これにより同時に２つ以上のマスタがバスアクセスを行うのを禁止している。なお、アービトレーション方式は３段階の優先権を有し、それぞれの優先権に複数のマスタが割り当てられる。
【００３５】
インタラプトコントローラ４１０は、上述した各機能ブロック及びコントローラユニット１１０の外部からインタラプトを集積し、ＣＰＵ４０１がサポートするコントローラ類４０８、４１１−４１６及びノンマスカブルインタラプト（ＮＭＩ）に再配分する。
【００３６】
電力管理ユニット４０９は機能ブロック毎に電力を管理し、さらに１チップで構成されている電子部品としてコントローラユニット１１０の消費電力量の監視を行う。すなわち、コントローラユニット１１０は、ＣＰＵ４０１を内蔵した大規模なＡＳＩＣ（特定用途向けＩＣ）で構成されており、このため全ての機能ブロックが同時に動作すると大量の熱を発生して、コントローラ部１１０自体が破壊されてしまう虞がある。
【００３７】
そこで、このような事態を防止するために各に機能ブロック毎に消費電力を管理し、各機能ブロックの消費電力量はパワーマネージメントレベルとして電力管理ユニット４０９に集積される。そして、該電力管理ユニット４０９では各機能ブロックの消費電力量を合計し、該消費電力量が限界消費電力を超えないように各機能ブロックの消費電力量を一括して監視する。
【００３８】
Ｇバスアービタ４０６は中央アービトレーション方式によりＧバス４０４を協調制御しており、各バスマスタに対して専用の要求信号と許可信号とを有する。
【００３９】
なお、バスマスタへの優先権の付与方式として、全てのバスマスタを同じ優先権として、公平にバス権を付与する公平アービトレーションモードといずれか一つのバスマスタに対して優先的にバスを使用させる優先アービトレーションモードのいずれかを指定することができる。
【００４０】
図５は、操作部１５０の例を示す図である。
【００４１】
５００は、ユーザーインターフェイスであり、種々のコピーモード（例えば、両面設定、グループ、ソート、ステイプル出力等）を設定することが可能である。なお、これらのコピーモード設定手段は、ハードキーであっても、タッチパネルに表示されるソフトキーであっても良い。５０１は、スタートボタンで、このボタンが押されたことを契機にコピー処理が開始される。
【００４２】
図６は、スタートボタン５０１押下によりコピー処理が開始された後に、コピーモードとして、原稿の読み取り蓄積を繰り返し行う「連続読込モード」が選択されたときにユーザーインターフェイス５００に表示される原稿読込設定画面５０２の例である。原稿読込設定画面５０２には、それまで読み込んだ画像を表示されるモードに入るための「確認」ボタン５０３と、それまで読み込んだ画像を一括出力するための「読込終了」ボタン５０４が備えられている。
【００４３】
図７は、原稿読込設定画面５０２で「確認」ボタン５０３が押下されたときに表示される読込画像確認画面で、５０５の領域にはそれまでに蓄積された画像の総ページ数および表示中のページ番号が表示される。５０６および５０７は、蓄積された画像のページを移動させる「ページ移動」ボタンで、５０６を押下すると前ページに、５０７を押下すると次ページに移動する。５０８および５０９は、確認用画像の拡大／縮小表示を行うための「拡大／縮小」ボタンで、５０８を押下すると確認用画像は縮小表示され、５０９を押下すると確認用画像は拡大表示される。５１０は、蓄積画像確認画面で、５０５に表示されているページの内容が表示される。５１１は「再読込」ボタンで、「再読込」ボタン５１１が押下されるとそのときに表示されていたページを記憶し、画像確認画面をクローズする。画像確認画面がクローズされると５０２の原稿読込設定画面に戻り原稿読込が可能になる。このとき、原稿読込は再読込モードで実行される。５１２は「閉じる」ボタンで、「閉じる」ボタン５１２が押下されると画像確認画面はクローズされる。原稿確認画面がクローズされると５０２の原稿読込設定画面に戻り原稿読込が可能になる。このとき、原稿読込は連続読込モードで実行される。
【００４４】
なお、上述の連続読込モードとは、読込んだ画像データが蓄積記憶された最後尾（最終画像）から再度画像データの蓄積記憶を行い、処理中に蓄積記憶された全画像データを１組の画像データとして扱うことを意味し、再読込モードとは、蓄積記憶された特定の画像データを、新たに読み込んだ画像データに置き換えることを意味する。また、いずれの場合も原稿読込み指示はスタートボタン５０１押下により行われる。
【００４５】
図８は、連続読込コピー処理のフローチャートである。
【００４６】
Ｓ１００１では、スタートボタン５０１が押下されたことによるスタート指示がされたか否かを判別する。スタートボタン５０１が押下されていない場合はスタートボタン５０１が押下されるまでその判別を繰り返す。スタートボタン５０１が押下された場合はＳ１００２に進み、「連続読込モード」が選択されたかの確認を行う。Ｓ１００２にて「連続読込モード」が設定されていない場合、Ｓ１０１２に進み、通常のコピー処理を行い処理を終了する。「読込画像確認モード」が設定された場合、Ｓ１００３に進み、自動紙送り装置（ＤＦ）にセットされた原稿束の読込み、または、圧板上に置かれた原稿の読込みを行う原稿読込処理を実行する。処理が終了すると操作部１５０による指示が可能になる。Ｓ１００４では、画像記憶部１６０に蓄積された画像確認処理（プレビュー処理）の指示がされたか否かを判別する。画像確認処理実行が指示された場合、Ｓ１００５に進み画像確認処理（プレビュー処理）を行い、その後Ｓ１００６に進む。画像確認処理実行の指示が無い場合はＳ１００６に進む。Ｓ１００６では、「再読込」が指示されたか否かを判別する。再読込の指示はＳ１００５のプレビュー処理内で行われ、再読込の指示がされると、再読込の対象となるページの画像格納場所が記憶さる。再読込が指示されるとＳ１００７に進み、再読込の指示がされない場合はＳ１００８に進む。Ｓ１００７では、再読込指示がされた時に記憶されたページの画像データ破棄（削除）処理を実行する。その後、Ｓ１００３に戻り原稿読込処理を実行し、再読込み対象ページの画像データを置き換える。なお、原稿読込処理Ｓ１００３は、自動紙送り装置（ＤＦ）にセットされた全原稿の読込処理、圧板上に置かれた原稿の読込み処理の他、自動紙送り装置にセットされた原稿から指定枚数の読込処理を行うことが可能で、再読込み時は、読込枚数が１ページという指定がされる。Ｓ１００８は、連続読込処理中止の指示の判別を行う。Ｓ１００８で中止の指示があった場合はＳ１００９に進み、それまで読込蓄積した画像データの全てを破棄する読込画像破棄処理Ｓ１００９を実行した後、コピー処理を終了する。Ｓ１００８で中止の指示が無い場合はＳ１０１０に進む。Ｓ１０１０では読込終了指示の判別を行う。Ｓ１０１０で読込終了が指示された場合Ｓ１０１１に進み、それまで読込んだ画像データを全て印刷する読込画像印刷処理を実行した後、コピー処理を終了する。Ｓ１０１０で読込終了が支持されない場合はＳ１０１３に進み読込指示の判別を行う。Ｓ１０１３で読込の指示があった場合、Ｓ１００３に戻り原稿読込処理を実行する。Ｓ１０１３で読込の指示が無い場合はＳ１００４に戻る。つまり、操作部１５０による指示が何も無いときは、画像確認、再読込、中止、読込終了、読込のいずれかの指示待ちになる。
【００４７】
図９は、原稿読込処理のフローチャートである。
【００４８】
Ｓ２００１では、自動紙送り装置（ＤＦ）の状態の判別を行う。ＤＦがオープンの時はＳ２００６に進み、圧板からの原稿読込処理を行い処理を終了する。ＤＦがクローズの時はＳ２００２に進み、ＤＦに原稿がセットされているか否かの判別を行う。ＤＦに原稿がセットされていない場合はＳ２００６に進み、圧板からの原稿読込処理を行い処理を終了する。ＤＦに原稿がセットされている場合はＳ２００３に進み、再読込処理が指示されているか否かの判別を行う。Ｓ２００３にて再読込が指示されていると判別した場合はＳ２００４に進み、ＤＦにセットされた原稿から１ページだけ画像を読込み処理を終了する。Ｓ２００３にて再読込が指示されていないと判別した場合はＳ２００５に進み、ＤＦにセットされた原稿の全ページの読込み処理を行い処理を終了する。
【００４９】
図１０は、蓄積画像確認（プレビュー）処理のフローチャートである。
【００５０】
Ｓ３００１では、蓄積画像の確認を行う画像格納先の指定がされているかの判別を行う。連続読込コピー処理で繰り返し読込まれる画像データは、実行中の連続読込コピー処理が使用している画像格納先である文書管理部９００のジョブ管理部９０２配下に管理されており、ジョブ管理部９０２を指定することで、それまでに読込蓄積した画像データの先頭ページから最終ページまでたどることが可能なように管理されている。Ｓ３００１で指定が無い場合は処理を終了する。つまり、プレビュー処理は実行されない。Ｓ３００１で指定があった場合はＳ３００２に進み蓄積された画像の先頭ページを特定する。Ｓ３００３では蓄積されている画像データから、蓄積画像確認画面５１０に表示する画像データの生成を行う。本実施例では、蓄積画像確認画面５１０に表示する直前に画像データの生成を行っているが、原稿読込蓄積時に蓄積画像確認画面表示用の画像データを生成し、オリジナル画像と対応付けて外部記憶部１６０に格納しておいても良い。Ｓ３００４では、Ｓ３００３で生成された画像データを蓄積画像確認画面５１０に表示する。Ｓ３００５は入力指示待ちで、入力指示をループして待っている。Ｓ３００６では次ページを表示する指示がされたかの判別を行い、次ページ表示の指示がされた場合はＳ３００７に進む。Ｓ３００７では蓄積されている画像データの最後尾かを判別し、最後尾であった場合はＳ３００５に戻り再度入力指示待ちになる。Ｓ３００７で最後尾で無いと判別した場合、Ｓ３００３に進み特定されたページの蓄積画像確認画面表示用の画像データの生成を行い処理を繰り返す。Ｓ３００８では、前ページ表示の指示がされたかの判別を行う。前ページ表示の指示がされた場合はＳ３００９に進み、蓄積されている画像データの先頭かの判別を行う。先頭と判別した場合はＳ３００５に戻り再度入力指示待ちになる。先頭で無いと判別した場合、Ｓ３００３に進み特定されたページの蓄積画像確認画面表示用の画像データの生成を行い処理を繰り返す。Ｓ３０１０では蓄積画像確認画面５１０に表示されている画像を縮小表示する指示がされたかの判別を行う。縮小表示が指示されたと判別した場合はＳ３００３に進み特定されたページの蓄積画像確認画面表示用の画像データの生成を行い処理を繰り返す。縮小表示の指示が無い場合Ｓ３０１１に進み、拡大表示の指示がされたかの判別を行う。Ｓ３０１１で拡大表示の指示がされたと判別した場合は指定された場合Ｓ３００３に進み特定されたページの蓄積画像確認画面表示用の画像データの生成を行い処理を繰り返す。拡大表示の指示が無い場合Ｓ３０１２に進み、画像再読込の指示がされたか判別を行う。Ｓ３０１２で画像再読込の指示がされた場合、Ｓ３０１３に進み、現在表示されているページが文書管理部９００のどこで管理されているか等を特定する識別情報を記憶（保持）し処理を終了する。ここで保持された情報が前述の画像読込処理に伝わり、再読込処理が実行される。Ｓ３０１２で再読込の指示が無い場合Ｓ３００５に戻り入力指示待ちとなる。
【００５１】
図１１は、制御装置１１０の内部ソフトウェア構造を示す図である。７００はコントローラソフトウェアであり、その中はプロトコル解釈部７０１、ジョブ制御部７０２、デバイス部７０３で構成されている。プロトコル解釈部７０１はホストコンピュータ６０１や、操作部１５０から、各インタフェース（４１１−４１４）を介して送られてきたコマンド（プロトコル）を解釈し、ジョブ制御部７０２に対してジョブの実行を依頼する。ジョブ制御部７０２は、プロトコル解釈部の依頼に基づき種々のジョブを実行する。デバイス部７０３は、画像入出力システム１００を構成する各ユニットを制御するドライバソフトを含み、ジョブ制御部７０２がジョブを実行する際に使用される。
【００５２】
図１２は、ジョブ制御部７０２の構造を示す図である。
【００５３】
同図において７００はコントローラソフトウェア、７０１はプロトコル解釈部、７０２はジョブ制御部、７０３はデバイス部である。ジョブ制御部７０２は、ジョブ生成部８００、ジョブ処理部８１０、ドキュメント処理部８２０、ページ処理部８３０、バンド処理部８４０、デバイス割り当て部８５０を有している。また、ジョブ処理部８１０は、ジョブ管理部８１１、バインダ管理部８１２、ドキュメント管理部８１３を有している。また、デバイス部７０３は、第１デバイス８５１、第２デバイス８５２及び第３デバイス８５３等複数のデバイスを有する事が可能となっている。
【００５４】
ホストコンピュータ６０１，６０２や、操作部１５０から送られてきた一連の操作依頼は、コマンド（プロトコル）という形で、各インタフェース（４１１−４１４）を介して送られてくる。送られてきたコマンドは、プロトコル解釈部７０１で解釈された後、ジョブ制御部７０２に送られる。この時点でコマンドは、ジョブ制御部７０２が理解できる形に変換される。
【００５５】
ジョブ生成部８００はジョブ８１４を生成する。ジョブ８１４にはコピージョブ、プリントジョブ、スキャンジョブ及びファックスジョブ等様々なジョブが存在する。プロトコル解釈部７０１により解釈されたプロトコルには、例えば、プリントジョブならば印刷する文書の名前や印刷部数、出力先の排紙トレイの指定等の種々の設定情報や、印刷データ自体（ＰＤＬデータ）等が含まれる。ジョブ８１４はジョブ処理部８１０に送られ処理が行われる。ジョブ処理部８１０は、ジョブを構成する複数のバインダの出力順など、ジョブ全体に関わる設定がされるジョブ管理部８１１、バインダを構成する複数のドキュメントの出力順など、バインダ全体に関わる設定がされるバインダ管理部８１２、ドキュメントを構成する複数のページの出力順など、ドキュメント全体に関わる設定がされるドキュメント管理部８１３を有し、ジョブ８１４全体に関する設定や処理が行われる。
【００５６】
更に、ジョブ処理部８１０では、ジョブ８１４全体に関する設定や処理以外は、ジョブ８１４を構成するさらに小さな仕事の単位であるバインダ８１５に分割し、また、バインダ８１５全体に関する設定や処理以外は、バインダ８１５を構成するさらに小さな仕事の単位であるドキュメント８１６に分割し処理する。ドキュメント８１６は入力ドキュメント８２１と１対１に対応付けされており、入力ドキュメント８２１は、ドキュメント処理部８２０により出力ドキュメント８２２に変換処理される。例えば、原稿の束をスキャナで読み取り、複数のイメージデータに変換するスキャンジョブを考えると、原稿の束に関する設定や操作の手順が書かれているのが入力ドキュメント８２１であり、複数のイメージデータに関する設定や操作の手順が書かれているのが出力ドキュメント８２２である。そして、紙の束を複数のイメージデータに変換する役割を持っているのがドキュメント処理部８２０である。
【００５７】
ドキュメント処理部８２０は、ドキュメント単位の入力ドキュメント８２１から出力ドキュメント８２２への変換処理を行い、ドキュメント全体に関する設定や処理以外は、更に小さな仕事の単位である入力ページ８３１に分割し、ページ処理部８３０に処理を依頼する。これは、ちょうどジョブ処理部８１０がジョブ単位の処理に専念して、更に細かい仕事のためにバインダ８１５、ドキュメント８１６を生成するのと同じである。ドキュメント単位の設定及び操作は、具体的にはページの並び替え、両面印刷の指定、表紙の付加、ＯＨＰ中差し等のページ順序に関するものである。
【００５８】
ページ処理部８３０は、ページ単位の入力ページ８３１から出力ページ８３２への変換処理を行う。例えば、上述のスキャンジョブの場合、入力ページ８３１には読み取りの解像度、読み取りの向き（ランドスケープ／ポートレイト）等の各種設定や、手順が書かれており、出力ページ８３２にはイメージデータの格納場所等の設定や手順が書かれている。
【００５９】
ここまでは、ジョブの単位を徐々に小さくして、ページの単位で扱えるようにすることを説明してきた。高価なシステムで１ページ分のページメモリを持てるならば、最終的にページ単位までジョブを細分化して処理すればよい。しかし、現実にはメモリのコスト等の問題から１ページ分のページメモリを持てない場合には、数ライン分のメモリ（バンドメモリ）でジョブ８１４を処理するシステムもある。このような場合、ページを更に細かい単位であるバンドに分割して変換処理を行う。それが入力バンド８４１、バンド処理部８４０、出力バンド８４２であり、これらの動作に関してはページの場合と同様である。
【００６０】
ジョブ処理部８１０、ドキュメント処理部８２０、ページ処理部８３０及びバンド処理部８４０は、いずれも処理を進める際に画像入出力システム１００を構成する種々の物理デバイスを使用する。当然、複数の処理部が同時に仕事を進めるとデバイスの競合が発生するので、それを調停するのがデバイス割り当て部８５０である。例として図に示した第１〜第３のデバイス８５１〜８５３は、デバイス割り当て部８５０により上述した各処理部に割り当てられる論理デバイスであり、例えば、ページメモリやバンドメモリ、原稿給紙ユニット２５０、マーキングユニット３２０エンジン及びスキャナユニット２１０等が考えられる。
【００６１】
図１３は、画像記憶部１６０に蓄積される画像データを管理する文書管理部９００の管理構造を示す図である。
【００６２】
文書管理部９００は、フォルダ管理部９０１、ジョブ管理部９０２、バインダ管理部９０３、ドキュメント管理部９０４、ページ管理部９０５で構成され、それぞれ管理情報（属性値）を持っている。文書管理部９００は、１つまたは複数のフォルダ管理部９０１で構成され、フォルダ管理部９０１の管理情報が格納されている。フォルダ管理部９０１は、１つまたは複数のジョブ管理部９０２で構成され、ジョブ管理部９０２の管理情報が格納されている。ジョブ管理部９０２は、１つまたは複数のバインダ管理部９０３で構成され、バインダ管理部９０２の管理情報が格納されている。さらに、ジョブ管理部９０２は、ジョブ制御部７０２において処理されるジョブ８１４の動作に必要な情報で、ジョブ管理部８１１に格納されている属性値を格納／保存することができる。バインダ管理部９０３は、１つまたは複数のドキュメント管理部９０４で構成され、ドキュメント管理部９０４の管理情報が格納されている。さらに、バインダ管理部９０３は、ジョブ制御部７０２において処理されるバインダ８１５の動作に必要な情報で、バインダ管理部８１２に格納されている属性値を格納／保存することができる。ドキュメント管理部９０４は、１つまたは複数のページ管理部９０５で構成され、ページ管理部９０５の管理情報が格納されている。さらに、ドキュメント管理部９０４は、ジョブ制御部７０２において処理されるドキュメント管理部８１３に格納されている属性値や、ドキュメント処理部８２０により処理された出力ドキュメント８２２の属性値を格納／保存することができる。ページ９０５は、画像記憶部１６０に保存された、スキャナで読込んだ１ページ分の画像データ、ホストコンピュータから送信されたＰＤＬを展開した１ページ分の画像データ、ＦＡＸで受信した１ページ分の画像データなどと対応付けられている。さらに、ページ管理部９０５は、ジョブ制御部７０２のページ処理部８３０により処理された出力ページ８３２の属性値を格納／保存することができる。つまり、文書管理部９００に保存された情報と、画像記憶部１６０に保存された画像データから画像蓄積時に投入されたジョブ８１４を再現することが可能である。また、保存されている情報を再設定することで投入時のジョブと異なる動作をさせることも可能である。
【００６３】
図１４は、該制御装置１１０で実行されるジョブ８１４の１つであるコピージョブの構成の一例を示す図である。
【００６４】
ホストコンピュータ６０１、６０２や、操作部１５０から送られてくる一連の操作依頼はコマンド（プロトコル）という形で、各インタフェース（４１１−４１４）を介して送られてくる。送られてきたコマンドは、プロトコル解釈部７０１で解釈され、ジョブ制御部７０２に送られる。この時点でコマンドはジョブ制御部が理解出来る形に変換されることになる。ジョブ生成部８００は、送られてきたコマンドを解釈し、コピージョブ１００１を生成し制御を依頼する。コピージョブ１００１はコピー動作を実現するための機能を有しており、スキャンジョブ１００２、イメージエージェントジョブ１００３、および、プリントジョブ１００６を生成し、これらの動作を制御することでコピー処理を実現する。イメージエージェントジョブ１００３は、イメージエージェントバインダ１００４を、イメージエージェントバインダ１００４は、イメージエージェントドキュメント１００５をというように、自身を構成する細かい単位に処理を依頼しそれぞれの動作を制御する。イメージエージェントドキュメント１００５は、ドキュメント処理部（紙→イメージ）１０１０の出力ドキュメントであるイメージドキュメント１０１１の生成を行う。生成されたイメージドキュメント１０１１は、イメージエージェントドキュメント１００５、イメージエージェントバインダ１００４、イメージエージェントジョブ１００３、コピージョブ１００１を経由しスキャンジョブ１００２、プリントジョブ１００６に伝達される。
【００６５】
スキャンジョブ１００２は、ドキュメント処理部（紙→イメージ）１０１０の入力ドキュメントであるスキャン紙ドキュメント１００９の生成を行った後に、ドキュメント処理部（紙→イメージ）１０１０を生成する。この時、ドキュメント処理部（紙→イメージ）１０１０に、入力ドキュメントのスキャン紙ドキュメント１００９、出力ドキュメントのイメージドキュメント１０１１が伝えられる。さらに、スキャンジョブ１００２は、ドキュメント処理部（紙→イメージ）１０１０に処理を依頼し動作の制御を行う。なお、スキャンジョブ１００２では、ジョブ処理部８１０で、スキャンジョブ１００２全体に関する設定や処理、およびバインダに関する設定や処理が行われる。スキャンジョブ１００２では、スキャナユニット２１０、スキャナ原稿ユニット２５０の物理的構造から、１回のスキャン動作は、１ジョブ、１バインダ、１ドキュメントの構成で制御可能なため、本実施例では、バインダ８１５、ドキュメント８１６を省略している。
【００６６】
スキャン紙ドキュメント１００９は、原稿に関する情報が属性として管理されており、また、イメージドキュメント１０１１は、読込み結果である画像データに関する情報が属性として管理される。これらの属性をもとに、ドキュメント処理部（紙→イメージ）１０１０は、入力ドキュメントであるスキャン紙ドキュメント１００９から出力ドキュメントであるイメージドキュメント１０１１への変換を制御する。ドキュメント処理部（紙→イメージ）１０１０は、ドキュメント単位の処理のみを行い、さらに細かい仕事は、小さな仕事の単位であるスキャン紙ページ１０１７、ページ処理部（紙→イメージ）１０１８、イメージページ１０１９で行われる。スキャン紙ドキュメント１００９は、原稿の枚数に対応したスキャン紙１０１４を順次生成する。スキャン紙１０１４は生成されると、原稿の処理順を制御するスキャナ紙管理部１０１６に識別子を付加して登録した後、スキャン紙ページ１０１７の生成を行う。スキャン紙ページ１０１７は原稿の表ページ／裏ページに対応しており、両面原稿の時は１つのスキャン紙１０１４に対して２つのスキャン紙ページ１０１７が生成される。スキャナ紙管理部１０１６は、スキャン紙１０１４に付加された識別子やデバイスの仕様（原稿読み取り順など）によりスキャン紙ページ１０１７の処理順序の決定を行う。スキャン紙ページ１０１７には原稿の各ページに関する情報が管理されており、イメージドキュメント１０１１により生成されるイメージページ１０１９には各ページの読込画像データに関する情報が管理される。ページ処理部（紙→イメージ）１０１８は、入力ページであるスキャン紙ページ１０１７から出力ページであるイメージページ１０１９への変換を制御する。また、ページ処理部（紙→イメージ）１０１８は、実際のスキャナデバイスを制御するためのシーケンスを把握しており、スキャナデバイス制御部１０２３に用意されたエンジン制御コマンドを発行することで原稿読み取り動作（スキャン動作）の制御を行う。また、スキャン紙ページ１０１７、イメージページ１０１９に管理されている属性を画像処理部１０２５ａに設定し制御することで、原稿を画像データとして画像記憶部１６０に蓄積させる。蓄積された画像データは、文書管理部９００にて管理されており、文書管理部９００を介して、読み出し、複製、移動、削除、等の操作をすることが可能である。また、画像処理部１０２５ａ、１０２５ｂには、解像度変換、符号変換などの制御を含んでいる。
【００６７】
一方、プリントジョブ１００６は、ジョブ全体に関わる設定や処理以外は、さらに小さな仕事の単位であるプリントバインダ１００７分割し、バインダ全体に関わる設定や処理以外は、さらに小さな仕事の単位であるプリントドキュメント１００８に分割し、プリント処理全体に関する設定や処理の制御を行う。プリントドキュメント１００８は、ドキュメント処理部（イメージ→紙）１０１２の出力ドキュメントであるプリント紙ドキュメント１０１３の生成を行った後に、ドキュメント処理部（イメージ→紙）１０１２を生成する。この時、ドキュメント処理部（イメージ→紙）１０１２に、入力ドキュメントのイメージドキュメント１０１１、出力ドキュメントのプリント紙ドキュメント１０１３が伝えられる。さらに、プリントドキュメント１００８は、ドキュメント処理部（イメージ→紙）１０１２に処理を依頼し動作の制御を行う。プリント紙ドキュメント１０１３には、印刷出力に関する情報が属性として管理されており、イメージドキュメント１０１１には、画像データに関する情報が属性として管理されている。これらの属性をもとに、ドキュメント処理部（イメージ→紙）１０１２は、入力ドキュメントであるイメージドキュメント１０１１から出力ドキュメントであるプリント紙ドキュメント１０１３への変換を制御する。ドキュメント処理部（イメージ→紙）１０１２は、ドキュメント単位の処理のみを行い、さらに細かい仕事は、小さな仕事の単位であるイメージページ１０１９、ページ処理部（イメージ→紙）１０２０、プリント紙ページ１０２１で行われる。
【００６８】
プリント紙ドキュメント１０１３は、印刷出力する枚数分のプリント紙１０１５を順次生成する。プリント紙１０１５は生成されると、印字の処理順を制御するプリンタ紙管理部１０２２に識別子を付加して登録した後、プリント紙ページ１０２１の生成を行う。プリント紙ページ１０２１は出力用紙の表ページ／裏ページに対応しており、両面印刷の時は１つのプリント紙１０１５に対して２つのプリント紙ページ１０２１が生成される。プリンタ紙管理部１０２２は、プリント紙１０１５に付加された識別子やデバイスの仕様（内部循環枚数や両面出力時の紙制御順など）によりプリント紙ページ１０２１の処理順序の決定を行う。プリント紙ページ１０２１には印字する各ページに関する情報が管理されており、イメージページ１０１９には各ページの画像データに関する情報が管理されている。ページ処理部（イメージ→紙）１０２０は、入力ページであるイメージページ１０１９から出力ページであるプリント紙ページ１０２１への変換を制御する。また、ページ処理部（イメージ→紙）１０２０は、実際のプリンタデバイスを制御するためのシーケンスを把握しており、プリンタデバイス制御部１０２４に用意されたエンジン制御コマンドを発行することで印刷動作（プリント動作）の制御を行う。また、イメージページ１０１９、プリント紙ページ１０２１に管理されている属性を画像処理部１０２５ｂに設定し制御することで、画像記憶部１６０に蓄積された画像データを印刷用紙に印字する。
【００６９】
このような一連の動作によりより小さな仕事の単位である処理部に制御を任せて行くことで、コピー動作を実現することが可能となる。
【００７０】
図１５は、図１４に記述できなかった、コピージョブ実行時に行われる文書管理部９００への属性格納の例を抜粋した図である。前述の通り（図１３）、文書管理部９００は、フォルダ管理部９０１、ジョブ管理部９０２、バインダ管理部９０３、ドキュメント管理部９０４、ページ管理部９０５で構成され、それぞれが管理情報（属性値）を持っている。ジョブ制御部７０２において処理されるジョブ８１４の動作に必要な情報で、ジョブ管理部８１１に格納されている属性値は、イメージエージェントジョブ１００３により文書管理部９００のジョブ管理部９０２に格納／保存され、ジョブ制御部７０２において処理されるバインダ８１５の動作に必要な情報で、バインダ管理部８１２に格納されている属性値は、イメージエージェントバインダ１００４により文書管理部９００のバインダ管理部９０３に格納／保存され、ジョブ制御部７０２において処理されるドキュメント管理部８１３に格納されている属性値や、ドキュメント処理部８２０により処理された出力ドキュメント８２２の属性値は、出力ドキュメントに該当するイメージドキュメント１０１１により文書管理部９００のドキュメント管理部９０４に格納／保存され、ジョブ制御部７０２のページ処理部８３０により処理された出力ページ８３２の属性値は、出力ページに該当するイメージページ１０１９により文書管理部９００のページ管理部９０５に格納／保存される。
【００７１】
（コメント：デジタル化された画像情報を入力する画像入力手段、）
（コメント：読み取られた原稿画像を格納する画像格納手段と、）
（コメント：前記画像格納手段から前記デジタル化された画像を出力する画像出力手段、）
【００７２】
本発明における特徴的な部分の詳細について述べる。
【００７３】
＜転送機能の説明＞
本発明におけるデジタル複合機には転送機能を有する。
【００７４】
図２０は本実施例におけるデジタル複合機における転送機能の概略を表した図である。
【００７５】
デジタル複合機３４０１はデバイスＡ３４０３から画像を受信した際、３４０６の転送仕様設定に従って、転送の必要の有無を判断し、転送が必要だった場合、例えば３４０４、３４０５のデバイスＢ，Ｃ等に画像を転送する。この際に行ったＪＯＢの履歴情報を３４０２に保存する。この１対多の転送パターンは代表とされる１つのデジタル複合機がＦＡＸ受信を行うと、自分が管理する子のデジタル複合機へ転送することで、情報の流れを正確に保証することが可能である。
【００７６】
他のパターンの例を述べる。一般的なＦＡＸは公衆回線を使用するため通信料が高価である。一方インターネットＦａｘ機能（以降Ｉ−Ｆａｘ）であればＥメールシステムを使用するため通信料が非常に安価となる。例えば、遠い距離の場合、自動的にＩ−Ｆａｘ機能へと転送させるように設定させることで非常に通信料を安いシステムを構築することが可能である。このように機器から機器へとジョブや画像を転送する機能を転送機能と呼ぶ。
【００７７】
＜本発明の目的＞
このように転送機能を持つデジタル複合機においては、内部にＪＯＢの履歴をできる限り詳しく蓄積しておくことにより、効果的な情報管理を行う事が可能となる。例えばこのデジタル複合機を介して画像情報を転送するという環境を構築し、全てのＪｏｂがハンドリングした画像データをストレージに記録させる手段を用いることで、流通させた画像情報を管理することすら可能である。
【００７８】
しかしながら、画像の情報は非常に大きなものであり、非常に大きなストレージ装置が必要となる。
【００７９】
本発明では、画像の転送を行う際に、光学文字抽出処理（以降、ＯＣＲ）を用いてビットマップ情報からテキスト情報へと変換し、テキスト情報をＪＯＢの履歴の一部として保存することにより、小さいストレージ装置においても効果的に画像情報を蓄積できることを特徴とする。
【００８０】
＜転送仕様設定・記録手段の説明＞
（コメント：複数ある前記画像入力手段と前記画像出力手段から特定の一つ１以上の組み合わせを記録する転送仕様記録手段）
（コメント：前記転送仕様記録手段をユーザが設定するための転送仕様設定手段）
本実施例における転送仕様を設定する画面構成例を図１６に記載する。
【００８１】
３００１は転送条件名である。３００１のボタンを押下し、現在入力中の転送条件に対して名称を設定することが可能となる。３００２は転送条件である。転送条件は非常に様々な形態が考えられる。図１６においては、「ＦＡＸ受信を行い、相手先の電話番号が図中の番号だった場合」を判定：真と捉え、判定：真の場合に３００３の転送先へＪＯＢを転送することを意味している。３００２のボタンを押下した後の画面は条件を設定するためのものであるため、本実施例では割愛した。３００３は転送先の設定である。該ボタンを押下することにより、非図示のアドレス帳から転送先・転送グループを選ぶ事が可能である。
【００８２】
ユーザがこのユーザーインターフェイス画面を介して転送仕様設定を入力する。入力された設定は図２１の形式で不揮発性のメモリ、またはストレージ上に保存される。３５００は３００１の転送条件名を格納するエリアである。３５０１は３００２の転送条件を格納するエリアである。３５０２は３００３の転送先アドレスを格納するエリアである。３５０４〜３５０６は図１６中の他のパラメータを格納するエリアである。
【００８３】
＜転送ＪＯＢ実行手段の説明＞
（コメント：前記転送仕様記録手段に従って前記画像入力手段から得た画像を前記画像出力手段へ転送する転送ＪＯＢ実行手段、）
【００８４】
図２４に、ＪＯＢが発生した際、転送のＪＯＢが発生するまでの過程をフローチャートで示す。
【００８５】
３８０１は本フローの先頭。３８０２で転送条件を検索する。ユーザーインターフェイス図１６からユーザが入力した、転送仕様設定データ図２１群を全て検索して、３５０１に格納されている転送条件に一致するか否かをチェックする。転送条件に一致しなかった場合、３８０９の通常処理に処理を移す。３８０３は転送処理を行う事が確定した場合のパスであり、図２１に相当する転送仕様設定を読み込み、これに従って転送ＪＯＢを生成する。３８０４は光学式文字読み取り処理を依頼する部分であるが、現時点では説明を省く（後で記載）。
【００８６】
３８０５で図２１の３５０２のエリアからアドレス帳情報を獲得し、必要であれば３５０３のファイル形式に変換する、３５０５のページ毎の分割、３５０６の転送時間設定、等の情報から転送ＪＯＢを生成し、この実行をＪＯＢ管理部に依頼する。
【００８７】
＜転送ＪＯＢ実行手段の説明−＞ＪＯＢ履歴＞
（コメント：前記転送ＪＯＢ実行手段の実行結果情報を記録するＪＯＢ履歴記録手段、）
（コメント：前記ＪＯＢ履歴手段により記録されたＪＯＢ履歴データを参照するＪＯＢ履歴参照手段、）
【００８８】
次に３８０６でＪＯＢ履歴を記録する。
【００８９】
ＪＯＢ履歴を観覧するためのユーザーインターフェイスは図１７となる。３１０１は既に終了したＪＯＢを示しており、３１０２はエラーが発生したＪＯＢを示している。この画面は一覧表示になっており、より簡潔な情報を件数を多く表示するための画面であり、３１０３の詳細情報を表示するボタンを押下することにより、より詳細な情報を表示する画面へ遷移する。３１０１を選択して３１０３を押下した場合の画面を図１８に記載する。３１０１の詳細な情報を３２０１に示している。
【００９０】
これらのＪＯＢ履歴ユーザーインターフェイス画面はＪＯＢ履歴のデータベースから作られる。ＪＯＢ履歴のデータベースを図２２に記載する。ここで説明する情報はほぼ図１８中に表示してある。３６０１は受付番号を格納するエリアである。受け付けた順番に番号を新規に発行していく。図１８においては２となる。３６０２はＪＯＢを受け付けた時間を記録するエリアである。図１８においては、２００１年５月１５日１２：０３分となる。３６０３は受信したＪＯＢの種別を記録するエリアである。図１８においてはＦＡＸとなっている。３６０４は受信元を記録するエリアである。図１８においてはＲＸＮＡＭＥ１という名前になっている。３６０５は転送先のＪＯＢがいかなるものであったかを記録するエリアである。図１８においてはＦＡＸとなっている。３６０６は転送先を格納するエリアである。図１８ではｄｅｆとなっている。３６０７は処理ページ数を格納するエリアである。図１８では１９ページとなっている。３６０８は状態を格納するエリアである。図１８では「終了しました」になっている。まとめると、受付番号０００２のＪＯＢは２００１年５月１５日１２：０３分にＲＸＮＡＭＥ１さんから受信したＦＡＸＪＯＢをｄｅｆの電話番号００１２３４５６７へと転送処理を行ったページ数は１９、ＪＯＢ状況は正常終了し、完了している。ということが読み取れる。
【００９１】
以上のように、３８０６でＪＯＢ履歴を記録する。この段階では３６０８のＪＯＢ実行状態は「受付中」になっている。３８０７は発行したＪＯＢが終了するまで待つ。３８０８で受け付けたＪＯＢが終了したため、図２２の３６０８の状態を「終了しました」に変更し、３８０９で一連のＪＯＢ発生から転送ＪＯＢの発行〜終了までが完了することになる。このような一連のフロー制御により転送ＪＯＢは発行・実行され、結果が履歴へ保存されることになる。
【００９２】
＜ＯＣＲ：文字抽出手段＞
（コメント：前記ＪＯＢ実行手段で扱うデジタル画像情報から文字情報を抽出し文字情報として記録する文字抽出手段、）
【００９３】
ＯＣＲとは光学式文字読み取りであり、前もって記憶されたパターンと照合することにより、画像データから文字を特定し、文字コードを求めるための一般的な手法である。
【００９４】
図２５はＯＣＲの最も簡単な例である。Ａという文字がビットマップで表記されている。これは８×８のビットマップで構成されているため、１ビットを２値で表現した場合で８Ｂｙｔｅの記憶容量が必要となる。このビットマップにＯＣＲ処理を行うことでアスキーコードの‘０ｘ４１’という１Ｂｙｔｅのコードに変換することが可能である。今回の例は最も簡単例であるため８倍だが、通常Ａ４等の文書に文字が詰まっている場合、ビットマップ情報と文字コードの比較では数千倍以上の必要記憶容量の差が発生する。一般的なコンピュータ装置において、０ｘ４１を表示させると‘Ａ’という文字が表示される。‘Ａ’のビットマップの解像度はもちろんシステムにより異なるが、０ｘ４１＝‘Ａ’という文字を表しているため問題は発生しない。つまり、０ｘ４１は‘Ａ’という「文字」を表示しているのである。ビットマップを規定しない。ここに一つの優位性がある。
【００９５】
もう一つ、文字コードにした後はＣＰＵが容易に認識することができるということ。ビットマップ状態の時にはパターンマッチングを行い、文字を抽出するがこれには非常に多くの処理能力と時間を必要とする場合が多い。文字コードは比較対照のコードと比較するのが非常に容易であり、検索・判断という面でビットマップにたいして非常に優位性がある。本実施例はＯＣＲの手法によるものではないため、このレベルの説明に留め、具体的なアルゴリズムに関しては割愛する。
【００９６】
＜本方式の説明＞
（コメント：前記文字抽出手段により得られた文字情報を記録する文字記録手段、）
（コメント：前記文字記録手段で格納されている文字テキストデータを参照する文字テキストデータ参照手段、）
（コメント：文字記録手段で記録されている文字テキストデータを前記ＪＯＢ記録手段に関連付けて記録することを特徴とする画像処理装置）
【００９７】
図３０に本実施例の図を記載する。図２４のフローチャートにてＪＯＢのフローを示した。３８０４の動作に関して説明する。３８０４でＯＣＲの処理が依頼される。４４００から入力された画像は、４４０１のＯＣＲ手段を用いてビットマップから文字コードに変換される。その結果は４４０２のＯＣＲ結果へと記録される。記録の形式は通常のファイルシステムを使用したハードディスクへのアクセスである。
【００９８】
４４０４の転送仕様に応じてＪＯＢが生成され、３８０６で生成された、図２２のＪＯＢ履歴が生成されることは先に説明した。同様のものが図３０では４４０３となる。図２２の３６０９の詳細情報を格納するエリアに対して、図２３の３６０８の情報をリンクさせる。３６０８の詳細は３７０２のコンテキストタイプと３７０３のオブジェクトポインタという格納情報からなり、ＯＣＲの結果は３７０３のオブジェクトポインタにファイルシステムに記録したファイル名、３７０２にはファイルシステム上のテキストファイルというコンテキストを代入することにより、図２３の３６０８詳細の情報はハードディスク上のテキストファイルへのポインタとなる。３６０９には３６０８のリンクが入っているため、図２２のＪＯＢ履歴情報からハードディスク上のＯＣＲ結果のファイルへと接続を行うことができている。これは４４０５のリンクを意味する。この仕組みにより、ＪＯＢ履歴記録手段にＯＣＲの結果である文字テキストデータを関連付けて記録することが可能となる。
【００９９】
ユーザーインターフェイスの動作について説明する。図１８は３１０１のＪＯＢ履歴の詳細である。３２０２のさらに詳細は３６０９の詳細へと対応しており、このボタンを押下することにより、図２３のテキストファイルへのポインタを開くことが可能である。つまり、図１９の３３０１のようなテキストボックスが開き、ファイルのＯＣＲ結果である文字テキストデータを表示することが可能となる。
【０１００】
３３０３はＯＣＲを行ったページの区切りに自動挿入されるタグである。３３０３はスクロールバーである。３３０４が３１０１、３２０１のＪＯＢがハンドリングした画像データをＯＣＲした文字列である。
【０１０１】
以上のようにして、文字テキストデータをＪＯＢ履歴と関連づけて管理することが可能となる。
【実施例２】
【０１０２】
（コメント：前記文字記録手段へのアクセスにパスワードを設ける手段、）
【０１０３】
実施例１とまったく同様の構成を持つ。
【０１０４】
セキュリティとプライバシーの観点から、誰でも全てのＪＯＢ履歴にアクセスするのは好ましくない。よって、３２０２の詳細ボタンを押下した場合、３３０３へのデータにアクセスできるか否かをパスワードで管理するほうが望ましい。よって、押下した際に図２６のパスワード入力画面を標示し、管理者パスワードの認証を行うことにより、管理者のみがデータベースにアクセスできるようになる。
【実施例３】
【０１０５】
（コメント：前記文字抽出手段により抽出した文字列に特定のキーワードを検出した場合に、ＪＯＢを中断すること）
【０１０６】
実施例１とまったく同様の構成を持つ。
【０１０７】
例えば、転送のＪＯＢに「社外秘」などの特定の文字列を検出した場合、社外への転送をエラーとする、また逆に特定の文字列を検出したときだけ許可する、という仕様を実現することで、よりセキュリティレベルを向上させることが可能となる。
【０１０８】
図２８に本実施例のフローを記載する。特定キーワードに対してＪＯＢを停止するという機能に限定して説明する。図２７はＪＯＢ停止単語の登録画面である。４１０１のテキストボックスを選択することにより図２９のキーワード入力画面へと移行することができ、テキスト文字列を入力することが可能となる。入力されたテキスト画像は４１０１に標示される。
【０１０９】
４２０１のＪＯＢ停止単語チェックは、４４０１のＯＣＲ判断部で随時行われる。４２０２は単語の獲得であり、４１０１のテキストボックスに入力されているテキスト文字列を取り出す。４２０３でＯＣＲ結果とコンペアを行う。ＪＯＢ停止キーワードを検出した場合、４２０４の処理で、ＪＯＢ管理部へＪＯＢの停止を依頼する。ＪＯＢ管理部はＪＯＢの停止を行い、図１７の３１０２のようにＪＯＢの実行結果が「エラー」となり、ＪＯＢは自動的に停止される。
【０１１０】
本実施例と同様に、特定のキーワードを検出した場合に限り、外部への転送を許可するという使用法も可能である。
【図面の簡単な説明】
【０１１１】
【図１】本発明に係わるデータ処理装置としてのデジタル複合機の１実施例形態を示すブロック構成図である。
【図２】デジタル複合機の内部構成図である。
【図３】本発明に係わる電子部品としてのコントローラ部の詳細を示すブロック構成図である。
【図４】メインコントローラの詳細を示すブロック構成図である。
【図５】操作部１５０の例を示す図である。
【図６】「連続読込モード」時の原稿読込設定画面の例を示す図である。
【図７】読込画像確認画面の例を示す図である。
【図８】連続読込コピー処理のフローチャートである。
【図９】原稿読込処理のフローチャートである。
【図１０】蓄積画像確認（プレビュー）処理のフローチャートである。
【図１１】制御装置内部のソフトウェア構造を示す図である。
【図１２】ジョブ制御部の構造を示す図である。
【図１３】文書管理部の管理構造を示す図である。
【図１４】コピージョブの構成例を示す図である。
【図１５】コピージョブ実行中の文書管理部との関係を抜粋した図である。
【図１６】転送設定入力画面を示す図
【図１７】転送ＪＯＢ履歴画面を示す図
【図１８】転送ＪＯＢ履歴詳細画面を示す図
【図１９】転送ＪＯＢＯＣＲ結果画面を示す図
【図２０】一般的な転送ＪＯＢの説明の図
【図２１】転送仕様データ構造を示す図
【図２２】転送ＪＯＢ履歴データ構造を示す図
【図２３】転送ＪＯＢ履歴データ構造の詳細のデータ構造を示す図
【図２４】転送ＪＯＢのフローチャート
【図２５】ＯＣＲの簡略図
【図２６】管理者パスワード入力画面を示す図
【図２７】ＪＯＢ停止用単語入力テキストボックスを示す図
【図２８】転送時自動ＪＯＢ停止時のフローチャート
【図２９】単語入力画面を示す図
【図３０】本実施例の図
【符号の説明】
【０１１２】
１００  画像入出力装置（画像入出力システム）
１１０  制御装置（コントローラユニット）
１１１  メインコントローラ
１５０  操作部
１６０  画像記憶部
２００  リーダー装置（リーダー部）
２５０  原稿給送ユニット
３００  プリンタ装置（プリンタ部）
７００  コントローラソフトウェア
７０１  プロトコル解釈部
７０２  ジョブ制御部
７０３  デバイス部
８００  ジョブ生成部
８１０  ジョブ処理部
８２０  ドキュメント処理部
８３０  頁処理部
８４０  バンド処理部
８５０  デバイス割り当て部
９００  文書管理部
【図１】
2006050089.tif 000003
【図２】
2006050089.tif 000004
【図３】
2006050089.tif 000005
【図４】
2006050089.tif 000006
【図８】
2006050089.tif 000007
【図９】
2006050089.tif 000008
【図１０】
2006050089.tif 000009
【図１１】
2006050089.tif 000010
【図１２】
2006050089.tif 000011
【図１３】
2006050089.tif 000012
【図１４】
2006050089.tif 000013
【図１５】
2006050089.tif 000014
【図２０】
2006050089.tif 000015
【図２１】
2006050089.tif 000016
【図２２】
2006050089.tif 000017
【図２３】
2006050089.tif 000018
【図２４】
2006050089.tif 000019
【図２８】
2006050089.tif 000020
【図３０】
2006050089.tif 000021
【図５】
2006050089.tif 000022
【図６】
2006050089.tif 000023
【図７】
2006050089.tif 000024
【図１６】
2006050089.tif 000025
【図１７】
2006050089.tif 000026
【図１８】
2006050089.tif 000027
【図１９】
2006050089.tif 000028
【図２５】
2006050089.tif 000029
【図２６】
2006050089.tif 000030
【図２７】
2006050089.tif 000031
【図２９】
2006050089.tif 000032